(57)【特許請求の範囲】
【請求項１】
導電性支持体上に感光層を有する電子写真感光体において、該感光層が、下記一般式（１）で示されるジアミン化合物と、下記一般式（３）で示されるスルホン酸エステル化合物と、を共に含有している層を具備していることを特徴とする電子写真感光体：
一般式（１）
【化１】
0003745125.tif 000015
式中、Ｒ１〜Ｒ４は、それぞれ、水素原子、アルキル基、アルコキシ基、ヒドロキシ基、ニトロ基、アリル基、置換基を有してもよいアリ−ル基、アラルキル基またはハロゲン原子を示し、Ｒ５及びＲ６は水素原子、置換基を有してもよいアルキル基、置換基を有してもよいアラルキル基または置換基を有してもよいアリ−ル基を示し、ｎは独立に０から２の整数を示す。
一般式（３）
【化２】
0003745125.tif 000016
式中、Ｒ１６〜Ｒ２０は、それぞれ、水素原子、ハロゲン原子、シアノ基、ニトロ基またはアルキル基を示し、Ｒ２１〜Ｒ２４は、それぞれ、水素原子またはハロゲン原子を示し、Ｘはシアノ基、アルコキシカルボニル基、置換基を有してもよいアリ−ルオキシカルボニル基または置換基を有してもよいアリ−ル基を示す。
【請求項２】
前記感光層が、電荷発生層と電荷輸送層とを具備し、前記ジアミン化合物と前記スルホン酸エステル化合物とを共に含有している層が、該電荷輸送層である請求項１記載の電子写真感光体。
【請求項３】
請求項１または２に記載の電子写真感光体と、帯電手段、現像手段及びクリ−ニング手段からなる群より選ばれる少なくとも一つの手段と、を一体に支持し、電子写真装置本体に着脱自在であることを特徴とするプロセスカ−トリッジ。
【請求項４】
請求項１または２に記載の電子写真感光体、帯電手段、像露光手段、現像手段及び転写手段を有していることを特徴とする電子写真装置。
【発明の詳細な説明】
【０００１】
【発明の属する技術分野】
本発明は電子写真感光体並びに該電子写真感光体を備えたプロセスカ−トリッジ及び電子写真装置に関する。
【０００２】
【従来の技術】
従来、電子写真感光体としては、セレン、硫化カドミウム、酸化亜鉛等を主成分とする感光層を有する無機感光体が広く用いられてきた。これは、ある程度の基礎特性は備えているが成膜が困難である、可塑性が悪い、製造コストが高い等の問題がある。更に無機光導電性材料は一般的に毒性が強く、製造上並びに取り扱い上にも大きな制約があった。
【０００３】
一方、有機光導電性化合物を主成分とする有機感光体は、無機感光体の上記欠点を補う多くの利点を有し、これまで数多くの提案がされ、実用化されてきている。このような有機感光体としては、ポリ−Ｎ−ビニルカルバゾ−ルに代表される光導電性ポリマ−等と、２，４，７−トリニトロ−９−フルオレノン等のルイス酸とから形成される電荷移動錯体を主成分とする電子写真感光体が提案されている。これらの有機光導電性ポリマ−は、無機光導電性ポリマ−に比べ軽量性、成膜性等の点では優れているが、感度、耐久性、環境変化による安定性等の面で無機光導電性材料に比べて劣っており、必ずしも満足できるものではない。
【０００４】
一方、電荷発生機能と電荷輸送機能とをそれぞれ別々の物質に分担させた機能分離型電子写真感光体が、従来の有機感光体の欠点とされていた感度や耐久性に著しい改善をもたらした。このような機能分離型感光体は、電荷発生物質と電荷輸送物質の各々の材料選択範囲が広く、任意の特性を有する電子写真感光体を比較的容易に作成できるという利点を有している。
【０００５】
電荷発生物質としては、アゾ顔料、多環キノン顔料、シアニン色素、スクエアリク酸染料、ピリリウム塩系色素等が知られている。その中でもアゾ顔料は耐光性が強い、電荷発生能力が大きい、材料合成が容易等の点から多くの構造が提唱されている。
【０００６】
一方、電荷輸送物質としては、例えば特公昭５２−４１８８号公報記載ピラゾリン化合物、特公昭５５−４２８８０号公報及び特開昭５５−５２０６３号公報記載のヒドラゾン化合物、特開平３−２６１９８５号公報、特開昭６１−１３２９５５号公報及び特開平２−１９０８６２記載のトリフェニルアミン化合物、特開昭５４−１５１９５５号公報及び特開昭５８−１９８０４３号公報記載のスチルベン化合物等が知られている。
【０００７】
これらの電荷輸送物質に要求されることは、（１）光及び熱に対して安定であること、（２）コロナ放電による発生するオゾン、ＮＯX 、硝酸等に対して安定であること、（３）高い電荷輸送能を有すること、（４）有機溶剤、結着剤との相溶性が高いこと、（５）製造が容易で安価であること等が挙げられる。また近年の更なる高耐久化に伴い、耐久性向上のために感光層上に保護層を設けたり、複写機やレ−ザ−ビ−ムプリンタ−等で感光体を長期保存すること等により、電荷輸送層にクラックが生じたり、電荷輸送物質が結晶化、相分離するという現象が生じ画像欠陥になることがある。また、近年のデジタル化に対応した反転現像系では、一次帯電と転写帯電が逆極性のため、転写の有無により帯電性が異なるいわゆる転写メモリ−が生じ、画像上濃度むらとして非常に現れやすくなっている。
【０００８】
【発明が解決しようとする課題】
本発明の目的は、大きな感度を有し、しかも繰り返し使用時の電位の安定の維持ができる、感光層上に保護層を設けたり、複写機やレ−ザ−ビ−ムプリンタ−等で感光体を長期保存しても電荷輸送層にクラックが生じたり、電荷輸送物質の結晶化等が生じない、反転現像系でも転写メモリ−が生じにくい電子写真感光体を提供すること、製造が容易で、かつ、安価に提供できる新規な有機光導電性化合物を提供すること、また該電子写真感光体を用いたプロセスカ−トリッジ並びに電子写真装置を提供することである。
【００１０】
【課題を解決するための手段】
本発明は、導電性支持体上に感光層を有する電子写真感光体において、該感光層が、下記一般式（１）で示されるジアミン化合物と、下記一般式（３）で示されるスルホン酸エステル化合物と、を共に含有している層を具備していることを特徴とする電子写真感光体：
一般式（１）
【化３】
0003745125.tif 000002
式中、Ｒ１〜Ｒ４は、それぞれ、水素原子、アルキル基、アルコキシ基、ヒドロキシ基、ニトロ基、アリル基、置換基を有してもよいアリ−ル基、アラルキル基またはハロゲン原子を示し、Ｒ５及びＲ６は水素原子、置換基を有してもよいアルキル基、置換基を有してもよいアラルキル基または置換基を有してもよいアリ−ル基を示し、ｎは独立に０から２の整数を示す。
一般式（３）
【化４】
0003745125.tif 000003
式中、Ｒ１６〜Ｒ２０は、それぞれ、水素原子、ハロゲン原子、シアノ基、ニトロ基またはアルキル基を示し、Ｒ２１〜Ｒ２４は、それぞれ、水素原子またはハロゲン原子を示し、Ｘはシアノ基、アルコキシカルボニル基、置換基を有してもよいアリ−ルオキシカルボニル基または置換基を有してもよいアリ−ル基を示す。
【００１１】
また、本発明は、前記本発明の電子写真感光体、及び帯電手段、現像手段、クリ−ニング手段からなる群より選ばれる少なくとも一つの手段を一体に支持し、電子写真装置本体に着脱自在であることを特徴とするプロセスカ−トリッジから構成される。
【００１２】
また、本発明は、前記本発明の電子写真感光体、帯電手段、像露光手段、現像手段及び転写手段を有することを特徴とする電子写真装置から構成される。
【００１３】
【発明の実施の形態】
下記一般式（１）、一般式（２）及び一般式（３）における表現のアルキル基としてはメチル、エチル、プロピル等の基、アリ−ル基としてはフェニル、ナフチル、アンスリル等の基、アラルキル基としてはベンジル、フェネチル等の基が挙げられる。また、これらの基が有してもよい置換基としてはメチル、エチル、プロピル、ブチル等のアルキル基、メトキシ、エトキシ等のアルコキシ基、フッ素原子、塩素原子、臭素原子等のハロゲン原子、フェニル、ナフチル等のアリ−ル基、ピリジル、キノリル、チエニル、フリル等の芳香環基、アセチル、ベンジル等のアシル基、ジメチルアミノ等のアルキルアミノ基、トリフルオロメチル等のハロアルキル基、シアノ基、ニトロ基、フェニルカルバモイル基等がある。
一般式（１）
【化５】
0003745125.tif 000004
式中、Ｒ１〜Ｒ４は、それぞれ、水素原子、アルキル基、アルコキシ基、ヒドロキシ基、ニトロ基、アリル基、置換基を有してもよいアリ−ル基、アラルキル基またはハロゲン原子を示し、Ｒ５及びＲ６は水素原子、置換基を有してもよいアルキル基、置換基を有してもよいアラルキル基または置換基を有してもよいアリ−ル基を示し、ｎは独立に０から２の整数を示す。
一般式（２）
【化６】
0003745125.tif 000005
式中、Ｒ７〜Ｒ１１は、それぞれ、水素原子、ハロゲン原子、シアノ基、ニトロ基またはアルキル基を示し、Ｒ１２〜Ｒ１５は、それぞれ、水素原子またはハロゲン原子を示し、Ｘはシアノ基、アルコキシカルボニル基、置換基を有してもよいアリ−ルオキシカルボニル基または置換基を有してもよいアリ−ル基を示す。
一般式（３）
【化７】
0003745125.tif 000006
式中、Ｒ１６〜Ｒ２０は、それぞれ、水素原子、ハロゲン原子、シアノ基、ニトロ基またはアルキル基を示し、Ｒ２１〜Ｒ２４は、それぞれ、水素原子またはハロゲン原子を示し、Ｘはシアノ基、アルコキシカルボニル基、置換基を有してもよいアリ−ルオキシカルボニル基または置換基を有してもよいアリ−ル基を示す。
【００１４】
次に、一般式（１）、（２）及び（３）で示される化合物について、その代表例を挙げる。ただし、これ等の化合物に限定されるものではない。
【００１５】
【表１】
0003745125.tif 000007
【表２】
0003745125.tif 000008
【表３】
0003745125.tif 000009
【表４】
0003745125.tif 000010
【００１６】
【表５】
0003745125.tif 000011
【００１７】
【表６】
0003745125.tif 000012
【００１８】
本発明の電子写真感光体は、一般式（１）で示される化合物及び一般式（３）で示される化合物からなる電荷輸送物質と適当な電荷発生物質を組み合わせて構成される。感光層の構成としては、例えば次に示す形態が挙げられる。
（Ａ）電荷発生物質を含有する層／電荷輸送物質を含有する層
（Ｂ）電荷輸送物質を含有する層／電荷発生物質を含有する層
（Ｃ）電荷発生物質と電荷輸送物質を含有する層
（Ｄ）電荷発生物質を含有する層／電荷発生物質と電荷輸送物質を含有する層
【００１９】
本発明の電子写真感光体は、一般式（１）で示される化合物及び一般式（３）で示される化合物はいずれも正孔に対し高い輸送能を有するため、上記形態の感光層における電荷輸送層として用いることができる。感光層の形態が（Ａ）の場合は、負帯電、（Ｂ）の場合は正帯電が好ましく、（Ｃ）及び（Ｄ）の場合は、正、負いずれでも使用することができる。更に本発明の電子写真感光体では、接着性向上や電荷注入制限のために、感光層の表面に保護層や絶縁層を設けてもよい。なお、本発明の構成は、上記基本構成に限定されるものではない。なお、上記基本構成のうち、特に（Ａ）の形態が好ましく、以下に、更に詳細に説明する。
【００２０】
本発明における導電性支持体としては、例えば下記の形態のものを挙げることができる。
（１）アルミニウム、アルミニウム合金、ステンレス、銅等の金属を板形状またはドラム形状にしたもの。
（２）ガラス、樹脂、紙等の非導電性支持体や前記（１）の導電性支持体上にアルミニウム、パラジウム、ロジウム、金、白金等の金属を蒸着もしくはラミネ−トすることにより薄膜形成したもの。
（３）ガラス、樹脂、紙等の非導電性支持体や前記（１）の導電性支持体上に導電性高分子、酸化スズ、酸化インジウム等の導電性化合物の層を蒸着あるいは塗布することにより形成したもの。
【００２１】
本発明において用いられる電荷発生物質としては、例えば下記のような物質が挙げられる。これ等の電荷発生物質は単独で用いてもよく、２種類以上組み合わせてもよい。
（１）モノアゾ、ビスアゾ、トリスアゾ等のアゾ系顔料
（２）インジゴ、チオインジゴ等のインジゴ系顔料
（３）金属フタロシアニン、非金属フタロシアニン等のフタロシアニン系顔料
（４）ペリレン酸無水物、ペリレン酸イミド等のペリレン系顔料
（５）アントラキノン、ピレンキノン等の多環キノン系顔料
（６）スクアリリウム色素
（７）ピリリウム塩、チオピリリウム塩類
（８）トリフェニルメタン系色素
（９）セレン、非晶質シリコン等の無機物質
【００２２】
電荷発生層は、前記のような電荷発生物質を適当な結着剤に分散し、これを導電性支持体上に塗工することにより形成することができる。また、導電性支持体上に蒸着、スパッタ、ＣＶＤ等の乾式法で薄膜を形成することによっても形成することができる。
【００２３】
上記結着剤としては、広範囲な結着性樹脂から選択でき、例えば、ポリカ−ボネ−ト、ポリエステル、ポリアリレ−ト、ブチラ−ル樹脂、ポリスチレン、ポリビニルアセタ−ル、ジアリルフタレ−ト樹脂、アクリル樹脂、メタクリル樹脂、酢酸ビニル樹脂、フェノ−ル樹脂、シリコン樹脂、ポリスルホン、スチレン−ブタジエン共重合体、アルキッド樹脂、エポキシ樹脂、尿素樹脂、塩化ビニル−酢酸ビニル共重合体等が挙げられるが、これらの樹脂に限定されるものではない。これら樹脂は単独または共重合体ポリマ−として１種または２種以上混合して用いてもよい。
【００２４】
電荷発生層中に含有する樹脂は８０重量％以下、好ましくは４０重量％以下である。また、電荷発生層の膜厚は５μｍ以下、特には０．０１〜２μｍの薄膜層とすることが好ましい。また、電荷発生層に種々の増感剤を添加してもよい。
【００２５】
電荷輸送層は、少なくとも前記一般式（１）で示される化合物及び一般式（３）で示される化合物と適当な結着剤（結着性樹脂）とを組み合わせて形成することができる。ここで電荷輸送層に用いられる結着剤としては、前記電荷発生層に用いられている結着剤が挙げられ、更にポリビニルカルバゾ−ル、ポリビニルアントラセン等の光導電性高分子化合物が挙げられる。
【００２６】
この結着剤と電荷輸送物質との配合割合は、結着剤１００重量部あたり、電荷輸送物質を１０〜５００重量部とすることが好ましい。電荷輸送層は、電荷発生層と電気的に接続されており、電界の存在下で電荷発生層から注入された電荷キヤリアを受け取るとともに、これらの電荷キヤリアを表面まで輸送できる機能を有している。この電荷輸送層は電荷キヤリアを輸送できる限界があるので、必要以上に膜厚を厚くすることができないが、５〜４０μｍ、特には１０〜３０μｍの範囲が好ましい。
【００２７】
更に、電荷輸送層中に酸化防止剤、紫外線吸収剤、可塑剤または公知の電荷輸送物質を必要に応じて添加することもできる。
【００２８】
このような電荷輸送層を形成する際は、適当な有機溶媒を用い、浸漬コ−ティング法、スプレ−コ−ティング法、スピンナ−コ−ティング法、ロ−ラコ−ティング法、マイヤ−バ−コ−ティング法、ブレ−ドコ−ティング法等のコ−ティング法を用いて行うことができる。
【００２９】
本発明の電子写真感光体は、電荷輸送層の形成において、一般式（１）で示されるジアミン化合物と一般式（３）で示されるスルホン酸エステル化合物を混合して形成することができる。これらを混合するとき、ジアミン化合物／カルボン酸エステル化合物の場合の重量比は、１００／０．０１〜３０、好ましくは１００／０．０５〜１５である。ジアミン化合物／スルホン酸エステル化合物の場合の重量比は、１００／０．００５〜１００、好ましくは１００／０．０５〜１５である。重量比がこの範囲外の場合は目的とする改善効果が不十分である。
【００３０】
次に、本発明のプロセスカ−トリッジ並びに電子写真装置について説明する。図１に本発明の電子写真感光体を有するプロセスカ−トリッジを有する電子写真装置の概略構成を示す。図において、１はドラム状の本発明の電子写真感光体であり、軸２を中心に矢印方向に所定の周速度で回転駆動される。感光体１は回転過程において、一次帯電手段３によりその周面に正または負の所定電位の均一帯電を受け、次いで、スリット露光やレ−ザ−ビ−ム走査露光等の像露光手段（不図示）からの画像露光光４を受ける。こうして感光体１の周面に静電潜像が順次形成されていく。
【００３１】
形成された静電潜像は、次いで現像手段５によりトナ−現像され、現像されたトナ−現像像は、不図示の給紙部から感光体１と転写手段６との間に感光体１の回転と同期取りされて給送された転写材７に、転写手段６により順次転写されていく。像転写を受けた転写材７は感光体面から分離されて像定着手段８へ導入されて像定着を受けることにより複写物（コピ−）として装置外へプリントアウトされる。像転写後の感光体１の表面は、クリ−ニング手段９によって転写残りトナ−の除去を受けて清浄面化され、更に前露光手段（不図示）からの前露光光１０により除電処理がされた後、繰り返し画像形成に使用される。なお、一次帯電手段３が帯電ロ−ラ−等を用いた接触帯電手段である場合は、前露光は必ずしも必要ではない。
【００３２】
本発明においては、上述の感光体１、一次帯電手段３、現像手段５及びクリ−ニング手段９等の構成要素のうち、複数のものをプロセスカ−トリッジとして一体に結合して構成し、このプロセスカ−トリッジを複写機やレ−ザ−ビ−ムプリンタ−等の電子写真装置本体に対して着脱可能に構成してもよい。例えば一次帯電手段３、現像手段５及びクリ−ニング手段９の少なくとも１つを感光体１と共に一体に支持してカ−トリッジ化し、装置本体のレ−ル１２等の案内手段を用いて装置本体に着脱可能なプロセスカ−トリッジ１１とすることができる。また、画像露光光４は、電子写真装置が複写機やプリンタ−である場合には、原稿からの反射光や透過光あるいは、センサ−で原稿を読み取り、信号化し、この信号に従って行われるレ−ザ−ビ−ムの走査、ＬＥＤアレイの駆動及び液晶シャッタ−アレイの駆動等により照射される光である。
【００３３】
本発明の電子写真感光体は電子写真複写機に利用するのみならず、レ−ザ−ビ−ムプリンタ−、ＣＲＴプリンタ−、ＬＥＤプリンタ−、液晶プリンタ−、レ−ザ−製版等電子写真応用分野にも広く用いることができる。
【００３４】
【実施例】
参考例１
１０％酸化アンチモンを含有する酸化スズで被覆した酸化チタン粉体５０部、レゾ−ル型フェノ−ル樹脂２０部、メチルセロソルブ２０部、メタノ−ル５部及びシリコ−ンオイル（ポリメチルシロキサンポリオキシアルキレン共重合体、平均分子量３０００）０．００３部を１ｍｍφガラスビ−ズを用いたサンドミル装置で２時間分散して導電層用塗料を調製し、この塗料をアルミニウムシリンダ−（３０ｍｍφ×２６１ｍｍ）上に浸漬塗布し、１４５℃で３０分間乾燥させ、膜厚２０μｍの導電層を形成した。
【００３５】
この導電層の上に、メトキシメチル化ナイロン（数平均分子量３２，０００）５部とアルコ−ル可溶性共重合ナイロン（数平均分子量２９，０００）１０部をメタノ−ル９５部に溶解した液を浸漬塗布し、乾燥して膜厚１μｍの下引き層を形成した。
【００３６】
次に、ＣｕＫα特性Ｘ線回折におけるブラッグ角（２θ±２）の９．０°、１４．２°、２３．９°及び２７．１°にピ−クを有するチタニウムオキシフタロシアニン１０部を、ポリビニルブチラ−ル（商品名エスレックＢＸ−１、積水化学（株）製）１０部をシクロヘキサノン４００部に溶解した液に添加し、１ｍｍφのガラスビ−ズを用いたサンドミル装置で３時間分散し、これに４００部の酢酸エチルを加えて希釈した後回収して、これを下引き層上に浸漬塗布し、９０℃で１５分間乾燥して、膜厚０．２μｍの電荷発生層を形成した。
【００３７】
次に、例示ジアミン化合物１−３を１０部、例示カルボン酸エステル化合物２−３を１．５部、ビスフェノ−ルＺ型ポリカ−ボネ−ト（数平均分子量４５，０００）１０部をクロロベンゼン８０部に溶解した溶液を調製し、この溶液を電荷発生層上に浸漬塗布し、１１０℃で１時間乾燥し、膜厚２０μｍの電荷輸送層を形成し、電子写真感光体を作成した。
【００３８】
参考例２、実施例１〜５
実施例１で用いた例示カルボン酸エステル化合物に代えて後記表７に示した化合物を用いた他は、実施例１と同様にして電子写真感光体を作成した。
【００３９】
実施例６〜８
参考例１で用いた例示ジアミン化合物に代えて後記表７に示した化合物を用いた他は、実施例３と同様にして電子写真感光体を作成した。
【００４０】
比較例１
参考例１で用いたカルボン酸エステル化合物を用いず、ジアミン化合物を１３部に代えた他は、参考例１と同様にして電子写真感光体を作成した。
【００４１】
比較例２及び３
参考例１で用いたカルボン酸エステル化合物に代えて、下記構造式の化合物を用いた他は、参考例１と同様にして電子写真感光体を作成した。
化合物Ａ（比較例２）
【００４２】
比較例４
参考例１で用いたジアミン化合物に代えて、下記構造式の化合物を用いた他は、参考例１と同様にしてそれぞれ電子写真感光体を作成した。
化合物Ｃ（比較例４）
【化８】
0003745125.tif 000013
【００４３】
比較例５及び６
比較例４で用いたカルボン酸エステル化合物に代えて、後記表７に示す化合物を用いた他は、比較例４と同様にしてそれぞれ電子写真感光体を作成した。
【００４４】
作成した電子写真感光体をレ−ザ−ビ−ムプリンタ−（商品名ＬＢＰ−ＳＸ、キヤノン（株）製）に装着して、暗部電位を−８００Ｖとし、これに８０２ｎｍのレ−ザ−光を照射して明部電位が−１５０Ｖとなるレ−ザ−光量を測定し、感度を比較した。更に５，０００枚連続プリントを行ったときの暗部電位の変化量（△ＶＤ）と明部電位の変化量（△ＶＬ）を測定した。電位変動における負符号は電位の絶対値の低下を表わし、正符号は電位の絶対値の増加を表わす。
【００４５】
また、作成した電子写真感光体をレ−ザ−ビ−ムプリンタ−（商品名ＬＢＰ−ＳＸの改造機、キヤノン（株）製）に装着して、転写電流ＯＦＦ時の一次帯電電圧をＶｄ１、転写電流０Ｎ時の一次帯電電圧をＶｄ２として、いわゆる転写メモリ−（Ｖｄ１−Ｖｄ２）を測定し、その画像形成テストを行った。条件は以下の通りである。一次帯電後の表面電位：−８００Ｖ、像露光後の表面電位：−１５０Ｖ（露光量１．０μＪ／ｃｍ2 ）、転写電位：＋８００Ｖ、現像極性：負極性、プロセススピ−ド：４８ｍｍ／ｓｅｃ、現像条件（現像バイアス）：−４５０Ｖ、像露光後スキャン方式：イメ−ジスキャン、一次帯電前露光：８．０Ｌｕｘ・ｓｅｃの赤色全面露光、画像形成はレ−ザ−ビ−ムを文字信号及び画像信号に従いラインスキャンして行ったが、字、画像共に良好なプリントが得られた。
【００４６】
初期感度、繰り返し使用時の電位変動、転写メモリーの結果を表７に示す。
【表７】
0003745125.tif 000014
【００４７】
この結果から、本発明の電子写真感光体は、優れた初期感度、繰り返し特性を有すると共に、転写メモリ−に優れることが知られる。電荷輸送物質として前記一般式（１）で示されるジアミン化合物、一般式（３）で示されるスルホン酸エステル化合物を用いなかったり、別の化合物と組み合わせたりした比較例の電子写真感光体は、初期感度、繰り返し特性は優れるものの、転写メモリ−に関しては本発明の電子写真感光体のような特性は得られていない。
【００４８】
【発明の効果】
本発明の電子写真感光体は、高感度であり、また繰り返し帯電、露光による連続画像形成に際して、明部電位と暗部電位の変動が小さく耐久性に優れ、更に、反転現像系においても転写メモリ−が極めて小さく、高品位な画像が得られるという顕著な効果を奏する。また、プロセスカ−トリッジ及び電子写真装置に装着して同様に優れた効果を奏する。
【図面の簡単な説明】
【図１】本発明の電子写真感光体を有するプロセスカ−トリッジを有する電子写真装置の概略構成を示す図。
【符号の説明】
１    本発明の電子写真感光体
２    軸
３    一次帯電手段
４    画像露光光
５    現像手段
６    転写手段
７    転写材
８    像定着手段
９    クリ−ニング手段
１０  前露光光
１１  プロセスカ−トリッジ
１２  レ−ル
【図１】
0003745125.tif 000017